(57)【特許請求の範囲】
【請求項１】
電子機器の内部回路に接続される誤接続防止装置であって、
外部装置が接続されるべき第１のインターフェースと、
外部電源が接続されるべき第２のインターフェースと、
前記第１のインターフェースに接続され、かつ前記第１のインターフェースに前記外部電源が接続された時に、誤接続を示す信号を出力する誤接続検出防止部と、
前記第１のインターフェースと前記内部回路を結ぶ経路に設けられ、前記第２のインターフェースに前記外部電源が接続されていない時には開状態であって、前記第２のインターフェースに前記外部電源が接続された場合に、開状態から閉状態に切り替える開閉部と、を備える、誤接続防止装置。
【請求項２】
前記開閉部は、前記誤接続検出防止部と前記電子機器の内部回路の間に設けられている、請求項１に記載の誤接続防止装置。
【請求項３】
前記第２のインターフェースに接続され、かつ前記第２のインターフェースに前記外部電源が接続された場合に、前記開閉部の状態を開状態から閉状態に切り替える制御部をさらに備える、請求項１または２に記載の誤接続防止装置。
【請求項４】
前記制御部は、前記第２のインターフェースに接続された前記外部電源から動作に必要な電力を受ける、請求項３に記載の誤接続防止装置。
【請求項５】
前記制御部の動作に必要な電力を供給する内部バッテリをさらに備え、
前記制御部は、前記第２のインターフェースに前記外部電源が接続されているか否かを監視し、前記第２のインターフェースに前記外部電源が接続された際に前記開閉部の状態を開状態から閉状態に切り替え、前記第２のインターフェースから前記外部電源が外された際に前記開閉部の状態を閉状態から開状態に切り替える、請求項３に記載の誤接続防止装置。
【請求項６】
前記制御部は、前記第２のインターフェースに接続された前記外部電源の出力電圧値を判定し、前記出力電圧値が所定の値である場合に前記開閉部の状態を開状態から閉状態に切り替える、請求項３〜５のいずれか１項に記載の誤接続防止装置。
【請求項７】
電子機器の内部回路に対する誤接続防止方法であって、
外部装置が接続されるべき第１のインターフェースに外部電源が接続された時に誤接続を示す信号を出力し、
外部電源が接続されるべき第２のインターフェースに外部電源が接続された時に前記第１のインターフェースと前記電子機器の内部回路を結ぶ経路に設けられた開閉部の状態を開状態から閉状態に切り替える、誤接続防止方法。
【請求項８】
前記第１のインターフェースに接続された誤接続検出防止部と前記内部回路を結ぶ経路に設けられた開閉部の状態を開状態から閉状態に切り替える、請求項７に記載の誤接続防止方法。
【請求項９】
前記第２のインターフェースに前記外部電源が接続されたか否かを監視し、前記第２のインターフェースに前記外部電源が接続された時に、前記第１のインターフェースと前記内部回路を結ぶ経路を開状態から閉状態に切り替え、前記第２のインターフェースから前記外部電源が外された際に前記開閉部の状態を閉状態から開状態に切り替える請求項７または８に記載の誤接続防止方法。
【請求項１０】
前記第２のインターフェースに接続された前記外部電源の出力電圧値を監視し、前記出力電圧値に応じて、前記第１のインターフェースと前記内部回路を結ぶ経路の開状態と閉状態を切り替える、請求項９に記載の誤接続防止方法。
【発明の詳細な説明】
【技術分野】
【０００１】
本発明は、誤接続防止装置、および誤接続防止方法に関する。
【背景技術】
【０００２】
一般的に、センサ機器等の外部装置を監視する監視装置等は、外部装置が接続される第１のインターフェース、および外部電源が接続される第２のインターフェースを有する。このような監視装置において、第１のインターフェースに誤って外部電源が接続された場合、監視装置の内部回路に電圧が印加され、内部回路が損傷する可能性がある。そのため、誤接続を検知することによって、内部回路の損傷を防止することのできる技術が提案されている。
【０００３】
特許文献１は、外部ユニットが所定のスロットに適正に接続されたことを確認した場合に限り、外部ユニットの外部電源投入スイッチを入れることによって、外部ユニットの損傷を防止する技術を開示している。
【先行技術文献】
【特許文献】
【０００４】
【特許文献１】特開平３−２１１６３０号公報
【発明の概要】
【発明が解決しようとする課題】
【０００５】
特許文献１に記載の技術は、予め登録された外部ユニットの識別番号と、スロットに接続された外部ユニットの識別番号の対応させることによって外部ユニットの損傷を防止している。しかしながら、特許文献１に記載の技術は、識別番号を登録していない外部ユニットや、識別番号を保持していない外部ユニットを使用する場合に、外部ユニットの損傷を防止することができない可能性がある。
【０００６】
本発明は、誤接続に起因する電子機器の内部回路の損傷を防止することのできる誤接続防止装置、および方法を提供することにある。
【課題を解決するための手段】
【０００７】
本発明の一態様の誤接続防止装置は、電子機器の内部回路に接続される誤接続防止装置であって、外部装置が接続されるべき第１のインターフェースと、外部電源が接続されるべき第２のインターフェースと、前記第１のインターフェースに接続され、かつ前記第１のインターフェースに前記外部電源が接続された時に、誤接続を示す信号を出力する誤接続検出防止部と、前記第１のインターフェースと前記内部回路を結ぶ経路に設けられ、前記第２のインターフェースに前記外部電源が接続されていない時には開状態であって、前記第２のインターフェースに前記外部電源が接続された場合に、開状態から閉状態に切り替える開閉部と、を備える。
【０００８】
本発明の他の態様の誤接続防止方法は、電子機器の内部回路に対する誤接続防止方法であって、外部装置が接続されるべき第１のインターフェースに外部電源が接続された時に誤接続を示す信号を出力し、外部電源が接続されるべき第２のインターフェースに外部電源が接続された時に前記第１のインターフェースと前記電子機器の内部回路を結ぶ経路に設けられた開閉部の状態を開状態から閉状態に切り替える。
【発明の効果】
【０００９】
本発明の一実施態様に係る誤接続防止装置によれば、誤接続に起因する電子機器の内部回路の損傷を防止することができる。
【図面の簡単な説明】
【００１０】
【図１】第１の実施形態に係る誤接続防止装置の構成を示すブロック図である。
【図２】第１の実施形態に係る監視装置の構成を示すブロック図である。
【図３】本発明に係る誤接続検出防止部の具体的な構成を示す模式図である。
【図４】第２の実施形態に係る誤接続防止装置の構成を示すブロック図である。
【図５】第２の実施形態に係る監視装置の構成を示すブロック図である。
【図６】第２の実施形態に係る誤接続防止装置の動作の流れを示すフローチャートである。
【図７】第３の実施形態に係る誤接続防止装置の構成を示すブロック図である。
【図８】第３の実施形態に係る監視装置の構成を示すブロック図である。
【図９】第３の実施形態に係る誤接続防止装置の動作の流れを示すフローチャートである。
【発明を実施するための形態】
【００１１】
以下、図面を参照しながら、本発明の実施形態について詳細に説明する。なお、繰り返し説明することによる煩雑さを避けるため、各図において同一、または相当する部分には同一の符号を付して適宜説明は省略する。
【００１２】
［第１の実施形態］
本発明の第１の実施形態に係る誤接続防止装置１０について説明する。図１は、誤接続防止装置１０の構成を示すブロック図である。
【００１３】
図１に示すように、誤接続防止装置１０は、第１のインターフェース１１と、第２のインターフェース１２と、誤接続検出防止部１３と、開閉部１４と、を備える。
【００１４】
第１のインターフェース１１は、外部装置（図示せず）と接続するインターフェースであり、例えば、外部装置接続用コネクタである。外部装置は、特に限定しないが、例えば、センサ機器等である。
【００１５】
第２のインターフェース１２は、外部電源（図示せず）と接続するインターフェースであり、例えば、外部電源接続用コネクタである。外部電源は、特に限定しないが、例えば、出力電圧がＤＣ１２Ｖ、ＤＣ２４Ｖ、およびＤＣ４８Ｖ等の直流電圧を出力する電源である。
【００１６】
誤接続検出防止部１３は、第１のインターフェース１１に接続されており、第１のインターフェース１１に外部電源が接続された場合に、誤接続であることを検出することができる。具体的には、誤接続検出防止部１３は、第１のインターフェース１１に誤って接続された外部電源の出力電圧を整流することによって、誤接続を示す信号である報知信号１３ａを生成する。また、誤接続検出防止部１３は、第１のインターフェース１１に外部電源が接続されていない時には動作しないように構成されている。後述するが、このような誤接続検出防止部１３は、例えば、ダイオードブリッジ等の整流回路によって構成することができる。
【００１７】
開閉部１４は、第１のインターフェース１１と、誤接続防止装置１０を搭載する電子機器の内部回路との間に設けられており、第１のインターフェース１１、および第２のインターフェース１２と接続されている。具体的には、開閉部１４は、少なくとも外部装置の信号を受ける信号端子と、外部電源の電源を受ける電源端子を有している。この場合、開閉部１４の信号端子は第１のインターフェース１１に接続され、開閉部１４の電源端子は第２のインターフェース１２に接続される。
【００１８】
開閉部１４は、初期状態では開状態であるので、第１のインターフェース１１と、誤接続防止装置１０を搭載する電子機器の内部回路とは、電気的に分離されている。また、開閉部１４は、第２のインターフェース１２に外部電源が接続されると、外部電源の電力によって動作し、状態を開状態から閉状態に切り替える。開閉部１４の状態が閉状態の時には、第１のインターフェース１１と、誤接続防止装置１０を搭載する電子機器の内部回路とは、電気的に接続される。そして、開閉部１４は、第２のインターフェース１２から外部電源が外されると、電力が供給されなくなり、閉状態から初期状態である開状態に切り替わる。具体的には後述するが、開閉部１４は、第１のインターフェース１１に外部電源が誤接続された場合に、外部電源の出力電圧から電子機器の内部回路を保護するように構成されている。このような開閉部１４は、例えば、リレーや、電界効果トランジスタ等によって構成することができる。換言すれば、本発明の第１の実施形態によれば、第１のインターフェース１１に対する外部電源の誤接続の有無に応じて、電子機器の内部回路に印加される電圧を制御することができる。
【００１９】
なお、誤接続防止装置１０は、第１のインターフェース１１に外部電源が誤って接続された場合に、その接続が誤接続であることをユーザ等に報知する報知部（図示せず）を備えていてもよい。報知部は、誤接続検出防止部１３が生成した報知信号１３ａにしたがって報知するように構成することができる。この場合、ユーザ等は、報知部が報知することによって、第１のインターフェース１１への接続が誤接続であることを容易に気づくことができる。このような報知部は、特に限定されないが、例えば、ＬＥＤ（Light Emitting Diode）やブザー等によって、可視的、および可聴的に構成することが好ましい。
【００２０】
図２は、監視装置１の構成を示すブロック図である。監視装置１は、誤接続防止装置１０と、内部回路２０とを備えている。
【００２１】
監視装置１は、誤接続防止装置１０が搭載される電子機器の一例であり、接続された外部装置等を監視する装置である。この場合、内部回路２０は、例えば、センサインターフェース等を含む回路である。なお、誤接続防止装置１０を搭載する電子機器として信号端子を有する監視装置１を例に説明するが、これは例示であり、本発明を限定するものではない。誤接続防止装置１０は、監視装置１に限らず、種々の電子機器にも搭載することができる。
【００２２】
図２に示すように、第１のインターフェース１１には外部装置３０が接続されている。また、第２のインターフェース１２には外部電源４０が接続されている。
【００２３】
監視装置１において、第２のインターフェース１２に接続された外部電源４０は、開閉部１４に電力を供給する。この場合、開閉部１４は、外部電源４０から電力を受けることによって動作し、状態を開状態から閉状態に切り替える。開閉部１４の状態が開状態の時には、第１のインターフェース１１に接続された外部装置３０と、内部回路２０とは電気的に分離されている。そして、開閉部１４の状態が閉状態に切り替わることで、第１のインターフェース１１に接続された外部装置３０と、内部回路２０とが電気的に接続される。
【００２４】
一方、第１のインターフェース１１に外部電源４０が誤って接続された場合、外部電源４０は、誤接続検出防止部１３に電力を供給する。この場合、誤接続検出防止部１３は、外部電源４０の電力を受けることで動作し、誤接続であることを示す報知信号１３ａを生成する。ここで、開閉部１４の状態は初期状態である開状態のままであり、第１のインターフェース１１と内部回路２０は電気的に分離されている。すなわち、誤接続防止装置１０は、第１のインターフェース１１に誤接続された外部電源４０の出力電圧が内部回路２０に印加されないように構成されている。
【００２５】
したがって、誤接続防止装置１０は、外部電源４０が第１のインターフェース１１に誤って接続された場合に、内部回路２０には出力電圧が印加されないので、内部回路２０の損傷を防止することができる。
【００２６】
図３は、監視装置１の構成の一例を示す模式図である。以下、図３を参照しつつ、監視装置１の具体的な構成について説明する。
【００２７】
第１のインターフェース１１は、ＴＸ＋端子１１１と、ＴＸ−端子１１２と、ＣＯＭＭＯＮ端子１１３と、を有する。
【００２８】
ＴＸ＋端子１１１は、外部装置のＴＸ＋端子と接続する端子である。ＴＸ−端子１１２は、外部装置のＴＸ−端子と接続する端子である。ＣＯＭＭＯＮ端子１１３は、外部装置のＣＯＭＭＯＮ端子と接続する端子である。
【００２９】
第２のインターフェース１２は、入力端子１２１と、ＧＮＤ端子１２２と、を有する。
【００３０】
入力端子１２１は、外部電源の出力端子と接続する端子である。ＧＮＤ端子１２２は、外部電源のＧＮＤ端子と接続する端子である。
【００３１】
なお、図３に示した第１のインターフェース１１、および第２のインターフェース１２の構成は、例示であって、それぞれの端子数を限定するものではない。設計者等は、第１のインターフェース１１、および第２のインターフェース１２の端子数を、設計に応じて自由に変更することができる。
【００３２】
誤接続検出防止部１３は、ＴＸ＋配線１３１と、ＴＸ−配線１３２と、ＣＯＭＭＯＮ配線１３３と、第１のダイオードブリッジ１３４と、第２のダイオードブリッジ１３５と、第３のダイオードブリッジ１３６と、ＬＤＯ（Low Drop Out）１３７と、を備える。
【００３３】
ＴＸ＋配線１３１は、ＴＸ＋端子１１１に接続された信号線であって、監視装置１の内部回路２０にＴＸ＋信号を伝達する。
【００３４】
ＴＸ−配線１３２は、ＴＸ−端子１１２に接続された信号線であって、監視装置１の内部回路２０にＴＸ−信号を伝達する。
【００３５】
ＣＯＭＭＯＮ配線１３３は、ＣＯＭＭＯＮ端子１１３に接続されている信号線であり、グランドと接続されている。
【００３６】
第１のダイオードブリッジ１３４、第２のダイオードブリッジ１３５、および第３のダイオードブリッジ１３６は、それぞれ、第１のインターフェース１１に外部電源が誤って接続された時に、外部電源の出力電圧を整流する整流回路である。
【００３７】
具体的に説明すると、第１のダイオードブリッジ１３４は、ＴＸ＋端子１１１に外部電源の出力端子が接続され、かつＴＸ−端子１１２に外部電源のＧＮＤ端子が接続された場合に外部電源の出力電圧を整流する。また、第１のダイオードブリッジ１３４は、上記とは逆に、ＴＸ−端子１１２に外部電源の出力端子が接続され、かつＴＸ＋端子１１１に外部電源のＧＮＤ端子が接続された場合においても外部電源の出力電圧を整流する。
【００３８】
第２のダイオードブリッジ１３５は、ＴＸ＋端子１１１に外部電源の出力端子が接続され、かつＣＯＭＭＯＮ端子１１３に外部電源のＧＮＤ端子が接続された場合に外部電源の出力電圧を整流する。また、第２のダイオードブリッジ１３５は、ＣＯＭＭＯＮ端子１１３に外部電源の出力端子が接続され、かつＴＸ＋端子１１１に外部電源のＧＮＤ端子が接続された場合においても外部電源の出力電圧を整流する。
【００３９】
第３のダイオードブリッジ１３６は、ＴＸ−端子１１２に外部電源の出力端子が接続され、かつＣＯＭＭＯＮ端子１１３に外部電源のＧＮＤ端子が接続された場合に外部電源の出力電圧を整流する。また、第３のダイオードブリッジ１３６は、ＣＯＭＭＯＮ端子１１３に外部電源の出力端子が接続され、かつＴＸ−端子１１２に外部電源のＧＮＤ端子が接続された場合においても外部電源の出力電圧を整流する。
【００４０】
ＬＤＯ１３７は、第１のダイオードブリッジ１３４、第２のダイオードブリッジ１３５、および第３のダイオードブリッジ１３６のそれぞれが整流した電圧を低ドロップアウトすることによって安定した電圧を出力するレギュレータである。図示された構成において、誤接続検出防止部１３は、ＬＤＯ１３７が安定化した信号を報知信号１３ａとして外部に出力する。報知部を設ける場合には、報知部は、ＬＤＯ１３７が出力した報知信号１３ａを受けることによって、ユーザ等に対して誤接続であることを報知する。
【００４１】
すなわち、誤接続検出防止部１３は、第１のインターフェース１１に外部電源がどのように誤って接続されても、外部電源の出力電圧を整流することによって報知信号１３ａを生成することができる。なお、図３に示した誤接続検出防止部１３の構造は、本発明を限定するものではない。設計者等は、第１のインターフェース１１への外部電源の接続パターンに応じて、誤接続検出防止部１３の構成を変更することができる。
【００４２】
開閉部１４は、誤接続検出防止部１３と、監視装置１の内部回路２０の間に設けられている。開閉部１４は、第２のインターフェース１２に外部電源が接続されていない状態では開状態であって、第２のインターフェース１２に外部電源が接続された時に開状態から閉状態に切り替わる。すなわち、開閉部１４は、第１の外部インターフェース１１に誤って外部電源が接続されたとしても、監視装置１の内部回路２０に出力電圧が印加されないように構成されている。
【００４３】
したがって、誤接続防止装置１０は、第１のインターフェース１１に誤って外部電源が接続されたとしても、監視装置１の内部回路２０の損傷を防止することができる。
【００４４】
電圧変換部１５は、第２のインターフェース１２に正常に接続された外部電源の出力電圧を降圧する。このような電圧変換部１５は、例えば、ＤＣ／ＤＣコンバータ等によって構成することができる。電圧変換部１５に接続された開閉部１４は、第２のインターフェース１２に正常に外部電源が接続された場合に、閉状態となって第１のインターフェース１１と、内部回路２０とを電気的に接続する。
【００４５】
［第２の実施形態］
本発明の第２の実施形態に係る誤接続防止装置１０Ａについて説明する。図４は、誤接続防止装置１０Ａの構成を示すブロック図である。
【００４６】
図４に示すように、誤接続防止装置１０Ａは、第１のインターフェース１１と、第２のインターフェース１２と、誤接続検出防止部１３と、開閉部１４と、制御部１６Ａとを備える。
【００４７】
制御部１６Ａは、第２のインターフェース１２、および開閉部１４と接続されており、第２のインターフェース１２に外部電源が接続された場合に、開閉部１４の状態を開状態から閉状態に切り替えることができる。具体的には、制御部１６Ａは、第２のインターフェース１２に外部電源が接続された場合、外部電力から電力を受けることによって動作し、開閉部１４の状態を開状態から閉状態に切り替える指令である制御信号１６ａを生成する。そして、制御部１６Ａは、生成した制御信号１６aを開閉部１４に出力することで、開閉部１４の状態を開状態から閉状態に切り替えることができる。第２のインターフェース１２から外部電源が外されると、制御部１６Ａは制御信号１６ａを生成することができなくなる。この場合、制御部１６Ａは、開閉部１４に制御信号１６ａを出力することができないので、開閉部１４の状態が閉状態から初期状態である開状態に切り替わる。
【００４８】
図５は、監視装置１Ａの構成を示すブロック図である。監視装置１Ａは、誤接続防止装置１０Ａと、内部回路２０とを備えている。
【００４９】
監視装置１Ａにおいて、制御部１６Ａは、第２のインターフェース１２に接続された外部電源４０の電力を受けることで、開閉部１４の状態を切り替える指令である制御信号１６ａを生成する。制御部１６Ａは、開閉部１４に制御信号１６ａを出力することで、開閉部１４の状態を開状態から閉状態に切り替える。これにより、第１のインターフェース１１と、内部回路２０とが電気的に接続される。
【００５０】
第２のインターフェース１２から外部電源４０が外されると、制御部１６Ａは、制御信号１６ａを生成することができなくなる。この場合、制御部１６Ａは、開閉部１４の状態が、閉状態から開状態に切り替わる。これにより、第１のインターフェース１１と、内部回路２０とが電気的に分離される。
【００５１】
したがって、誤接続防止装置１０Ａは、外部電源４０が第１のインターフェース１１に誤って接続された場合に、内部回路２０には出力電圧が印加されないので、内部回路２０の損傷を防止することができる。
【００５２】
なお、第２の実施形態において、制御部１６Ａは、誤接続防止装置１０Ａが備えているが、例えば、監視装置１Ａの内部回路２０が備えていてもよい。この場合、例えば、制御部１６Ａは、監視装置１Ａの内部回路２０が第２のインターフェース１２に接続された外部電源の電力を受けることで、制御信号１６ａを生成し、開閉部１４に制御信号１６ａを出力するように構成することができる。また、制御部１６Ａは、外部電源４０の出力電圧の値を判定する機能を有していてもよい。この場合、例えば、制御部１６Ａは、外部電源４０の出力電圧の値が予め定めた所定の範囲の値である場合に、制御信号１６ａを生成し、開閉部１４に制御信号１６ａを出力するように構成することができる。
【００５３】
［第２の実施形態の動作］
（制御部１６Ａの動作）
次に、制御部１６Ａの動作の流れについて説明する。図６は、制御部１６Ａの動作の流れを示すフローチャートである。
【００５４】
まず、制御部１６Ａは、第２のインターフェース１２に外部電源が接続された場合、その外部電源から動作に必要な電力を受ける（ステップＳ２０１）。
【００５５】
次に、制御部１６Ａは、開閉部１４の状態を開状態から閉状態に切り替える指令である制御信号１６ａを生成する（ステップＳ２０２）。
【００５６】
続いて、制御部１６Ａは、開閉部１４に制御信号１６ａを出力することで、開閉部１４の状態を開状態から閉状態に切り替える（ステップＳ２０３）。
【００５７】
そして、制御部１６Ａは、第２のインターフェース１２から外部電源が外されると、動作に必要な電力を受けることができなくなり動作を終了する（ステップＳ２０４）。
【００５８】
制御部１６Ａが動作しなくなることによって、開閉部１４には制御信号１６ａが供給されなくなり、開閉部１４の状態は閉状態から開状態に切り替わる。
【００５９】
［第３の実施形態］
本発明の第３の実施形態に係る誤接続防止装置１０Ｂについて説明する。図７は、誤接続防止装置１０Ｂの構成を示すブロック図である。
【００６０】
図７に示すように、誤接続防止装置１０Bは、第１のインターフェース１１と、第２のインターフェース１２と、誤接続検出防止部１３と、開閉部１４と、制御部１６Ｂと、内部バッテリ１７とを備える。
【００６１】
内部バッテリ１７は、制御部１６Ｂに電力を供給する電源部である。このような内部バッテリ１７は、通常の直流電源から構成することができる。
【００６２】
第３の実施形態において、制御部１６Ｂは、第２のインターフェース１２に接続される外部電源ではなく、内部バッテリ１７の電力が供給されるように構成されている。この場合、制御部１６Ｂは、内部バッテリ１７によって、電力の供給を常に動作しているので、第２のインターフェース１２に外部電源が接続されているか否かによって、開閉部１４の状態を制御する。
【００６３】
図８は、監視装置１Ｂの構成を示すブロック図である。監視装置１Ｂは、誤接続防止装置１０Ｂと、内部回路２０とを備えている。
【００６４】
監視装置１Ｂにおいて、制御部１６Ｂは、第２のインターフェース１２に外部電源４０が接続されたか否かを監視し、外部電源４０が接続されたと判定すると、開閉部１４の状態を開状態から閉状態に切り替える指令である制御信号１６ａを生成する。そして、制御部１６Ｂは、開閉部１４に制御信号１６ａを出力することによって、開閉部１４の状態を開状態から閉状態に切り替える。これにより、第１のインターフェース１１と、内部回路２０は電気的に接続される。
【００６５】
また、制御部１６Ｂは、第２のインターフェース１２に外部電源４０が接続された後、第２のインターフェース１２から外部電源４０が外されたか否かを監視する。そして、制御部１６Ｂは、第２のインターフェース１２から外部電源４０が外されたと判定すると、開閉部１４の状態を閉状態から開状態に切り替える指令である制御信号１６ａを生成する。そして、制御部１６Ｂは、開閉部１４に制御信号１６ａを出力することで、受けた制御信号１６ａにしたがって、閉状態から開状態に切り替える。これにより、第１のインターフェース１１と、内部回路２０とは電気的に分離される。
【００６６】
すなわち、第３の実施形態において、制御部１６Ｂは、開閉部１４の状態を開状態から閉状態に切り替えるだけでなく、閉状態から開状態に切り替えることができる。
【００６７】
したがって、誤接続防止装置１０Ｂは、外部電源４０が第１のインターフェース１１に誤って接続された場合に、内部回路２０には出力電圧が印加されないので、内部回路２０の損傷を防止することができる。
【００６８】
［第３の実施形態の動作］
（制御部１６Ｂの動作）
次に、制御部１６Ｂの動作の流れについて説明する。図９は、制御部１６Ｂの動作の流れを示すフローチャートである。
【００６９】
まず、制御部１６Ｂは、第２のインターフェース１２に外部電源が接続されたか否かを監視する（ステップＳ３０１）。
【００７０】
次いで、制御部１６Ｂは、第２のインターフェース１２に外部電源が接続されたと判定すると（ステップＳ３０２において「ＹＥＳ」）、開閉部１４の状態を開状態から閉状態に切り替える指令である制御信号１６ａを生成する（ステップＳ３０３）。一方、制御部１６Ｂは、第２のインターフェース１２に外部電源が接続されていないと判定すると（ステップＳ３０２において「ＮＯ」）、ステップＳ３０１に戻り、処理を繰り返す。
【００７１】
続いて、制御部１６Ｂは、開閉部１４に制御信号１６ａを出力することで、状態を開状態から閉状態に切り替える（ステップＳ３０４）。
【００７２】
さらに、制御部１６Ｂは、第２のインターフェース１２から外部電源が外されたか否かを監視する（ステップＳ３０５）。
【００７３】
次に、制御部１６Ｂは、第２のインターフェース１２から外部電源が外されたと判定すると（ステップＳ３０６において「ＹＥＳ」）、開閉部１４の状態を閉状態から開状態に切り替える指令である制御信号１６ａを生成する（ステップＳ３０７）。一方、制御部１６Ｂは、第２のインターフェース１２から外部電源が外されていないと判定すると（ステップＳ３０６において「ＮＯ」）、ステップＳ３０５に戻り、処理を繰り返す。
【００７４】
そして、制御部１６Ｂは、開閉部１４に制御信号１６ａを出力することで、状態を閉状態から開状態に切り替える（ステップＳ３０８）。
【００７５】
上記の各実施形態の一部、または全部は、以下の付記のようにも記載されうる。なお、以下の付記は本発明をなんら限定するものではない。
【００７６】
［付記１］
電子機器の内部回路に接続される誤接続防止装置であって、
外部装置が接続されるべき第１のインターフェースと、
外部電源が接続されるべき第２のインターフェースと、
前記第１のインターフェースに接続され、かつ前記第１のインターフェースに前記外部電源が接続された時に、誤接続を示す信号を出力する誤接続検出防止部と、
前記第１のインターフェースと前記内部回路を結ぶ経路に設けられ、前記第２のインターフェースに前記外部電源が接続されていない時には開状態であって、前記第２のインターフェースに前記外部電源が接続された場合に、開状態から閉状態に切り替える開閉部と、を備える、誤接続防止装置。
【００７７】
［付記２］
前記開閉部は、前記誤接続検出防止部と前記電子機器の内部回路の間に設けられている、付記１に記載の誤接続防止装置。
【００７８】
［付記３］
前記第２のインターフェースに接続され、かつ前記第２のインターフェースに前記外部電源が接続された場合に、前記開閉部の状態を開状態から閉状態に切り替える制御部をさらに備える、付記１または２に記載の誤接続防止装置。
【００７９】
［付記４］
前記制御部は、前記第２のインターフェースに接続された前記外部電源から動作に必要な電力を受ける、付記３に記載の誤接続防止装置。
【００８０】
［付記５］
前記制御部の動作に必要な電力を供給する内部バッテリをさらに備え、
前記制御部は、前記第２のインターフェースに前記外部電源が接続されているか否かを監視し、前記第２のインターフェースに前記外部電源が接続された際に前記開閉部の状態を開状態から閉状態に切り替え、前記第２のインターフェースから前記外部電源が外された際に前記開閉部の状態を閉状態から開状態に切り替える、付記３に記載の誤接続防止装置。
【００８１】
［付記６］
前記制御部は、前記第２のインターフェースに接続された前記外部電源の出力電圧値を判定し、前記出力電圧値が所定の値である場合に前記開閉部の状態を開状態から閉状態に切り替える、付記３〜５のいずれか１つに記載の誤接続防止装置。
【００８２】
［付記７］
前記誤接続検出防止部に接続され、かつ該誤接続検出防止部が生成した誤接続を示す信号にしたがって誤接続を報知する報知部をさらに備える、付記１〜６のいずれか１つに記載の誤接続防止装置。
【００８３】
［付記８］
前記報知部は、ＬＥＤ、またはブザーで構成されている、付記７に記載の誤接続防止装置。
【００８４】
［付記９］
前記誤接続検出防止部は、少なくとも１つのダイオードブリッジ回路を含む、付記１〜８のいずれか１つに記載の誤接続防止装置。
【００８５】
［付記１０］
前記開閉部は、リレー、または電界効果トランジスタで構成されている、付記１〜９のいずれか１つに記載の誤接続防止装置。
【００８６】
［付記１１］
電子機器の内部回路に対する誤接続防止方法であって、
外部装置が接続されるべき第１のインターフェースに外部電源が接続された時に誤接続を示す信号を出力し、
外部電源が接続されるべき第２のインターフェースに外部電源が接続された時に前記第１のインターフェースと前記電子機器の内部回路を結ぶ経路に設けられた開閉部の状態を開状態から閉状態に切り替える、誤接続防止方法。
【００８７】
［付記１２］
前記第１のインターフェースに接続された誤接続検出防止部と前記内部回路を結ぶ経路に設けられた開閉部の状態を開状態から閉状態に切り替える、付記１１に記載の誤接続防止方法。
【００８８】
［付記１３］
前記第２のインターフェースに前記外部電源が接続されたか否かを監視し、前記第２のインターフェースに前記外部電源が接続された時に、前記第１のインターフェースと前記内部回路を結ぶ経路を開状態から閉状態に切り替え、前記第２のインターフェースから前記外部電源が外された際に前記開閉部の状態を閉状態から開状態に切り替える付記１１または１２に記載の誤接続防止方法。
【００８９】
［付記１４］
前記第２のインターフェースに接続された前記外部電源の出力電圧値を監視し、前記出力電圧値に応じて、前記第１のインターフェースと前記内部回路を結ぶ経路の開状態と閉状態を切り替える、付記１３に記載の誤接続防止方法。
【００９０】
［付記１５］
前記第１のインターフェースに前記外部電源が接続された場合に、前記誤接続を示す信号にしたがって誤接続を報知する、付記１１〜１４のいずれか１つに記載の誤接続防止方法。
【００９１】
［付記１６］
ＬＥＤ、またはブザーによって誤接続であることを報知する、付記１５に記載の誤接続続防止方法。
【００９２】
［付記１７］
前記第２のインターフェースに接続された前記外部電源の出力電圧の値を降圧する、付記１１〜１６のいずれか１つに記載の誤接続防止方法。
【符号の説明】
【００９３】
１，１Ａ，１Ｂ・・監視装置
１０，１０Ａ，１０Ｂ・・誤接続防止装置
１１・・第１のインターフェース
１２・・第２のインターフェース
１３・・誤接続検出防止部
１４・・開閉部
１５・・電圧変換部
１６Ａ，１６Ｂ・・制御部
１７・・内部バッテリ
２０・・内部回路
１１１・・ＴＸ＋端子
１１２・・ＴＸ−端子
１１３・・ＣＯＭＭＯＮ端子
１２１・・入力端子
１２２・・ＧＮＤ端子
１３１・・ＴＸ＋配線
１３２・・ＴＸ−配線
１３３・・ＣＯＭＭＯＮ配線
１３４・・第１のダイオードブリッジ
１３５・・第２のダイオードブリッジ
１３６・・第３のダイオードブリッジ
１３７・・ＬＤＯ
１３ａ・・報知信号
１６ａ・・制御信号
【要約】
【課題】誤接続に起因する内部回路の損傷を防止すること。
【解決手段】電子機器の内部回路に接続される誤接続防止装置であって、外部装置が接続されるべき第１のインターフェースと、外部電源が接続されるべき第２のインターフェースと、第１のインターフェースに接続され、かつ第１のインターフェースに外部電源が接続された時に、誤接続を示す信号を出力する誤接続検出防止部と、第１のインターフェースと内部回路を結ぶ経路に設けられ、第２のインターフェースに外部電源が接続されていない時には開状態であって、第２のインターフェースに外部電源が接続された場合に、開状態から閉状態に切り替える開閉部と、を備える。
【選択図】図１【図１】
0006021208.tif 000002
【図２】
0006021208.tif 000003
【図３】
0006021208.tif 000004
【図４】
0006021208.tif 000005
【図５】
0006021208.tif 000006
【図６】
0006021208.tif 000007
【図７】
0006021208.tif 000008
【図８】
0006021208.tif 000009
【図９】
0006021208.tif 000010